(57)【要約】【課題】良好な筆記感と利便性とを両立させた出没式のシャープペンシルを提供すること。【解決手段】シャープペンシル１００は、軸筒１０と、筆記芯２１を保持する芯繰出ユニット２０と、慣性力によって筆記芯２１を繰り出す繰り出し操作を行う重量体９０と、少なくとも一部が軸筒１０の外部に露出した操作体４０と、を備えている。操作体４０が軸筒１０に対し前方に相対移動されることにより、芯繰出ユニット２０は、軸筒１０に対し相対的に前方に位置付けられる筆記状態と、軸筒１０に対し相対的に後方に位置付けられる非筆記状態と、に交互に切替可能である。芯繰出ユニット２０は、筆記状態にあるとき、軸筒１０を後方から押圧し、芯繰出ユニット２０が非筆記状態にあるとき、重量体９０による筆記芯２１の繰り出しが制限される。【選択図】図１
2019119111.tif 000002
【特許請求の範囲】
【請求項１】
軸筒と、
前記軸筒の内部に当該軸筒に対しその軸線方向に相対移動可能に配置され、筆記芯を保持する芯繰出ユニットと、
前記軸筒の内部に前記芯繰出ユニットに対し前記軸線方向に相対移動可能に配置され、慣性力によって筆記芯を繰り出す繰り出し操作を行う重量体と、
前記軸筒に対し前記軸線方向に相対移動可能に当該軸筒に支持され、少なくとも一部が前記軸筒の外部に露出した操作体と、を備え、
前記操作体が前記軸筒に対し前方に相対移動されることにより、前記芯繰出ユニットは、前記軸筒に対し相対的に前方に位置付けられる筆記状態と、前記軸筒に対し相対的に後方に位置付けられる非筆記状態と、に交互に切替可能であり、
当該芯繰出ユニットは、前記筆記状態にあるとき、前記軸筒を後方から押圧し、
前記芯繰出ユニットが前記非筆記状態にあるとき、前記重量体による前記筆記芯の繰り出しが制限される、シャープペンシル。
【請求項２】
前記軸筒の内部に配置され、前記操作体の前記軸筒に対する前方への相対移動により当該軸筒に対し前方に相対移動する、移動体と、
前記移動体に対し前記芯繰出ユニットを前方に付勢する付勢手段と、を更に備え、
前記芯繰出ユニットは、前記筆記状態にあるとき、前記付勢手段の付勢力によって前記軸筒を前方に押圧する、請求項１に記載のシャープペンシル。
【請求項３】
前記芯繰出ユニットは、
前記付勢手段により前記移動体に対し前方に付勢されたチャック支持ユニットと、
前記チャック支持ユニットに対し前記軸線方向に相対移動可能に当該チャック支持ユニットに支持され、前記筆記芯を前方に送り出し可能に保持する、チャックユニットと、を有し、
前記芯繰出ユニットが前記非筆記状態にあるとき、前記チャックユニットは、前記重量体の慣性力による前記チャック支持ユニットに対する前記軸線方向への相対移動が規制される、請求項２に記載のシャープペンシル。
【請求項４】
前記移動体は、略筒形の形状であり、内面に膨出部を有し、
前記チャックユニットは、前記移動体の前記膨出部に後方から当接する当接部を有し、
前記膨出部及び前記当接部は、前記芯繰出ユニットが前記筆記状態にあるときには互いに離間し、前記芯繰出ユニットが前記非筆記状態にあるときには互いに当接する、請求項３に記載のシャープペンシル。
【請求項５】
前記芯繰出ユニットの前方に支持され、当該芯繰出ユニットに保持された前記筆記芯が通過可能な開口部を有する口金と、
前記芯繰出ユニットと前記口金との間に圧縮状態で配置された弾性体を更に備え、
前記芯繰出ユニットが前記筆記状態にあるとき、前記口金は、前記軸筒を前方に押圧する、請求項１〜４のいずれか一項に記載のシャープペンシル。
【請求項６】
筆圧の前記軸筒の径方向成分によって、前記軸筒が前記芯繰出ユニットを当該軸筒に対し後方に相対移動させる、請求項５に記載のシャープペンシル。
【発明の詳細な説明】
【技術分野】
【０００１】
本発明は、ノック操作等により筆記芯を所定量だけ口金の前端から繰り出すことにより筆記が可能なシャープペンシルに関する。
【背景技術】
【０００２】
軸筒の後端から後方に突出した操作体を軸筒に対し前方に押し込むことにより、筆記芯を保持する芯繰出ユニットを、その前端に取り付けられた口金が軸筒の前端から突出した筆記状態と、口金が軸筒内に没入した非筆記状態と、に交互に切替可能なシャープペンシルが知られている。このような出没式のシャープペンシルは、例えば下記特許文献１に記載されている。
【０００３】
出没式のシャープペンシルでは、通常、芯繰出ユニットが筆記状態にあるとき、当該芯繰出ユニットの前端が軸筒から僅かに離間している。これは、芯繰出ユニットの状態（筆記状態か非筆記状態か）を切り替えるためにカム機構が採用されるが、非筆記状態から筆記状態への切り替え操作の終了間際に、軸筒に関連付けられたカムに対して芯繰出ユニットに関連付けられたカムフォロアを軸筒の後方に向けて僅かに落とし込む必要があるためである。ところが、芯繰出ユニットの前端が軸筒から僅かに離間していると、筆圧によって軸筒に対し芯繰出ユニットの前端がぐらついてしまい、筆記感が損なわれる場合があった。
【０００４】
また、軸筒の内部に当該軸筒に対しその軸線方向に相対移動可能に重量体を配置し、この重量体の慣性力によって筆記芯を繰り出す振出式のシャープペンシルも知られている。上述した出没式のシャープペンシルを振出式のシャープペンシルとして構成することにより、一層操作性の良いシャープペンシルを提供することができる。この場合、芯繰出ユニットが非筆記状態にあるとき、例えば移動時の振動によって重量体が振動し、その慣性力により筆記芯が不所望に繰り出されてしまう場合があった。
【先行技術文献】
【特許文献】
【０００５】
【特許文献１】特開２０１７−１５９５７９号公報
【発明の概要】
【発明が解決しようとする課題】
【０００６】
本発明は、以上の状況に鑑みて創案されたものである。すなわち、本発明の目的は、筆圧による芯繰出ユニットの軸筒に対するぐらつきを防止し、更に、芯繰出ユニットが非筆記状態にあるとき、重量体の慣性力による筆記芯の繰り出しを制限した、良好な筆記感と利便性とを両立させた出没式のシャープペンシルを提供することである。
【課題を解決するための手段】
【０００７】
本発明によるシャープペンシルは、軸筒と、
前記軸筒の内部に当該軸筒に対しその軸線方向に相対移動可能に配置され、筆記芯を保持する芯繰出ユニットと、
前記軸筒の内部に前記芯繰出ユニットに対し前記軸線方向に相対移動可能に配置され、慣性力によって筆記芯を繰り出す繰り出し操作を行う重量体と、
前記軸筒に対し前記軸線方向に相対移動可能に当該軸筒に支持され、少なくとも一部が前記軸筒の外部に露出した操作体と、を備え、
前記操作体が前記軸筒に対し前方に相対移動されることにより、前記芯繰出ユニットは、前記軸筒に対し相対的に前方に位置付けられる筆記状態と、前記軸筒に対し相対的に後方に位置付けられる非筆記状態と、に交互に切替可能であり、
当該芯繰出ユニットは、前記筆記状態にあるとき、前記軸筒を後方から押圧し、
前記芯繰出ユニットが前記非筆記状態にあるとき、前記重量体による前記筆記芯の繰り出しが制限されるようになっている。
【０００８】
以上のシャープペンシルは、前記軸筒の内部に配置され、前記操作体の前記軸筒に対する前方への相対移動により当該軸筒に対し前方に相対移動する、移動体と、
前記移動体に対し前記芯繰出ユニットを前方に付勢する付勢手段と、を更に備え、
前記芯繰出ユニットは、前記筆記状態にあるとき、前記付勢手段の付勢力によって前記軸筒を後方から押圧して良い。
【０００９】
前記芯繰出ユニットは、
前記付勢手段により前記移動体に対し前方に付勢されたチャック支持ユニットと、
前記チャック支持ユニットに対し前記軸線方向に相対移動可能に当該チャック支持ユニットに支持され、前記筆記芯を前方に送り出し可能に保持する、チャックユニットと、を有し、
前記芯繰出ユニットが前記非筆記状態にあるとき、前記チャックユニットは、前記重量体の慣性力による前記チャック支持ユニットに対する前記軸線方向への相対移動が規制されて良い。
【００１０】
前記移動体は、略筒形の形状であり、内面に膨出部を有し、
前記チャックユニットは、前記移動体の前記膨出部に後方から当接する当接部を有し、
前記膨出部及び前記当接部は、前記芯繰出ユニットが前記筆記状態にあるときには互いに離間し、前記芯繰出ユニットが前記非筆記状態にあるときには互いに当接して良い。
【００１１】
以上のシャープペンシルは、前記芯繰出ユニットの前方に支持され、当該芯繰出ユニットに保持された前記筆記芯が通過可能な開口部を有する口金と、
前記芯繰出ユニットと前記口金との間に圧縮状態で配置された弾性体を更に備え、
前記芯繰出ユニットが筆記状態にあるとき、前記口金は、前記軸筒を後方から押圧して良い。
【００１２】
また、筆圧の前記軸筒の径方向成分によって、前記軸筒が前記芯繰出ユニットを当該軸筒に対し後方に相対移動させて良い。
【発明の効果】
【００１３】
本発明によれば、筆圧による芯繰出ユニットの軸筒に対するぐらつきを防止し、更に、芯繰出ユニットが非筆記状態にあるとき、重量体の慣性力による筆記芯の繰り出しを制限した、良好な筆記感と利便性とを両立させた出没式のシャープペンシルを提供することができる。
【００１４】
ところで、本件出願人は、筆記芯に強い筆圧が加えられた際に、軸筒に対して口金が当該軸筒の径方向にスライドし、且つ、口金に対して筆記芯が後方にスライドするシャープペンシルを開発し、国際出願ＰＣＴ／ＪＰ２０１６／０６８８６３として出願した。このシャープペンシルでは、軸筒が芯繰出ユニットを押圧することにより当該芯繰出ユニットが軸筒に対し後方に相対移動するようになっている。このような機構を出没式のシャープペンシルで実現するためには、芯繰出ユニットが筆記状態にあるとき、当該芯繰出ユニットと軸筒とが当接していることが必要となる。
【００１５】
したがって、芯繰出ユニットが筆記状態にあるとき、当該芯繰出ユニットと軸筒とを当接させることによって、筆圧による芯繰出ユニットの軸筒に対するぐらつきを防止することができれば、国際出願ＰＣＴ／ＪＰ２０１６／０６８８６３に記載されたシャープペンシルを出没式に構成することもできる。
【図面の簡単な説明】
【００１６】
【図１】芯繰出ユニットが筆記状態にあるときの、本発明の一実施の形態によるシャープペンシルを示す概略縦断面図である。
【図２】芯繰出ユニットが非筆記状態にあるときの、図１のシャープペンシルを示す概略縦断面図である。
【図３】図１のシャープペンシルの後筒を示す概略縦断面図である。
【図４】図１のシャープペンシルの操作体を分解して示す概略縦断面図である。
【図５】図１のシャープペンシルのカムフォロアを示す概略正面図である。
【図６Ａ】筆記時に筆記芯に強い筆圧が作用していないときの図１のシャープペンシルを示す概略縦断面図である。
【図６Ｂ】筆記時に筆記芯に強い筆圧が作用しているときの図１のシャープペンシルを示す概略縦断面図である。
【発明を実施するための形態】
【００１７】
以下に、添付の図面を参照して本発明の一実施の形態を詳細に説明する。
【００１８】
図１及び図２は、本発明の一実施の形態によるシャープペンシル１００を示す概略縦断面図である。図１は、芯繰出ユニット２０が筆記状態にあるときのシャープペンシル１００を示し、図２は、芯繰出ユニット２０が非筆記状態にあるときのシャープペンシル１００を示している。
【００１９】
図１及び図２に示すように、シャープペンシル１００は、軸筒１０と、軸筒１０の内部に配置され筆記芯２１を保持する芯繰出ユニット２０と、軸筒１０の内部に配置され慣性力によって筆記芯２１を繰り出す繰り出し操作を行う重量体９０と、を備えている。芯繰出ユニット２０は、軸筒１０に対しその軸線方向ｄａに相対移動可能に配置されている。また、重量体９０は、芯繰出ユニット２０に対し軸線方向ｄａに相対移動可能に配置されている。
【００２０】
シャープペンシル１００は、軸筒１０に対し軸線方向ｄａに相対移動可能に当該軸筒１０に支持され、少なくとも一部が軸筒１０の外部に露出した操作体４０を更に備えている。操作体４０の具体的な構成については後述される。この操作体４０が軸筒１０に対し前方に相対移動される（押し込まれる）ことにより、芯繰出ユニット２０は、軸筒１０に対し相対的に前方に位置付けられる筆記状態（図１参照）と、軸筒１０に対し相対的に後方に位置付けられる非筆記状態（図２参照）と、に交互に切り替えられる。この切り替えについて、図１及び図２に加え図３〜図５を参照して、以下説明する。
【００２１】
図３は、図１のシャープペンシル１００の後筒１２を示す概略縦断面図であり、図４は、図１のシャープペンシル１００の操作体４０を分解して示す概略縦断面図であり、図５は、図１のシャープペンシル１００のカムフォロア７０を示す概略正面図である。
【００２２】
図１〜図３に示すように、軸筒１０は、前筒１１と、前筒１１の後方に接続された後筒１２と、を有している。本実施の形態では、前筒１１と後筒１２とは螺着されている。図３に示すように、後筒１２は、内面に被当接部１２ａを有している。この被当接部１２ａは、軸線方向ｄａに対して非平行で非直角の斜面である。この被当接部１２ａは、軸筒１０の内面に軸線方向ｄａに沿って延在する複数の内側リブ１２ｒの前端に形成されている。図３に示すように、隣接する内側リブ１２ｒの間には、軸筒１０の周方向に所定の間隙１２ｇが設けられている。隣接する内側リブ１２ｒの間の間隙１２ｇのうち少なくとも１つには、前方に設けられたカムフォロア規制部１２ｂと、後方に設けられた操作体規制部１２ｃと、が設けられている。各規制部１２ｂ、１２ｃは、いずれも前方に面した当接面として形成されている。
【００２３】
次に、図４に示すように、操作体４０は、操作レバー４１と、この操作レバー４１の前方に連結されるスライドカム４２と、を有している。操作レバー４１は、円筒状に形成された操作レバー本体４１ｍと、この操作レバー本体４１ｍの外周面に一体に形成されたクリップ部４１ｃと、を有している。操作レバー本体４１ｍの外周面には、係合孔４１ｅが設けられている。一方、スライドカム４２は、後方に、操作レバー本体４１ｍの係合孔４１ｅに係合される突起４２ｅが設けられている。図４においては操作レバー本体４１ｍとスライドカム４２とが分解された状態で示されているが、実際のシャープペンシル１００では、図１及び図２に示すように、係合孔４１ｅと突起４２ｅとの係合によって、操作レバー本体４１ｍとスライドカム４２とは組み付けられている。また、スライドカム４２は、後端に、後述されるカムフォロア７０の被押圧部７２ｐを押圧する複数の押圧部４２ｐを有している。押圧部４２ｐは、前方に突出下突起として形成されており、隣接する押圧部４２ｐの間には、後方に窪んだ谷部４２ｍが形成されている。押圧部４２ｐの軸線Ｌ周りの位相と、被当接部１２ａ間の間隙１２ｇの軸線Ｌ周りの位相とは、同じであり、谷部４２ｍの軸線Ｌ周りの位相と、被当接部１２ａの軸線Ｌ周りの位相とは、同じである。
【００２４】
スライドカム４２の前方の外周面には、複数の隆起部４２ｕが設けられている。各隆起部４２ｕの幅は、後筒１２の隣接する内側リブ１２ｒ間の間隙１２ｇの幅ｇ（図３参照）より僅かに小さい。この隆起部４２ｕは、間隙１２ｇ内に位置付けられることにより、軸筒１０（後筒１２）に対するその軸線Ｌ周りの操作体４０の相対回転が規制されている。また、隆起部４２ｕは、後筒１２の操作体規制部１２ｃと干渉する外径を有している。このため、隆起部４２ｕが間隙１２ｇ内に位置付けられることで、操作体４０を軸筒１０に対し抜け止め状態で配置することができる。
【００２５】
次に、図５に示すように、本実施の形態のカムフォロア７０は、筒状のカムフォロア本体７１と、カムフォロア本体７１の後方の外面に一体的に形成された外側リブ７２と、を有している。本実施の形態による外側リブ７２は、軸筒１０の周方向に沿って４つ、等間隔で設けられている。各外側リブ７２の後端には、被押圧部７２ｐが設けられている。被押圧部７２ｐは、軸線方向ｄａに対し非平行で非直角の斜面を有している。この被押圧部７２ｐは、芯繰出ユニット２０が非筆記状態にあるとき、スライドカム４２の押圧部４２ｐに前方から当接している。外側リブ７２の幅ｗは、後筒１２の隣接する内側リブ１２ｒ間の間隙１２ｇの幅ｇよりも僅かに小さい。
【００２６】
図１及び図２に戻って、シャープペンシル１００は、軸筒１０の内部に配置され、当該軸筒１０に対し前方に相対移動可能な移動体５０と、移動体５０に対し芯繰出ユニット２０を前方に付勢する付勢手段６０と、を更に備えている。芯繰出ユニット２０は、筆記状態にあるとき、付勢手段６０の付勢力によって軸筒１０を後方から押圧するようになっている。また、移動体５０は筒状であり、その後端がカムフォロア７０の前端に当接している。更に、移動体５０は、内面に膨出部５２を有している。そして、移動体５０は、操作体４０の軸筒１０に対する前方への相対移動により、当該軸筒１０に対し前方に相対移動されるようになっている。
【００２７】
移動体５０の後端の外面には、当該移動体５０の径方向外方に延び出たフランジ部５１が形成されている。更に、軸筒１０の内面には、フランジ部５１に前方から対面した第１受け部１３が形成されている。そして、フランジ部５１と第１受け部１３との間に、コイルバネ６１が圧縮状態で配置されている。このコイルバネ６１の付勢力により、移動体５０及びカムフォロア７０を介し、操作体４０の隆起部４２ｕが操作体規制部１２ｃを前方から押圧している。
【００２８】
本実施の形態の芯繰出ユニット２０は、前述した付勢手段６０により移動体５０に対し前方に付勢されたチャック支持ユニット２７と、チャック支持ユニット２７に対し軸線方向ｄａに相対移動可能に当該チャック支持ユニット２７に支持され、筆記芯２１を前方に送り出し可能に保持する、チャックユニット２８と、を有している。図１及び図２に示すように、チャックユニット２８は、移動体５０及びカムフォロア７０内を貫通して配置され、移動体５０の膨出部５２に後方から当接する当接部２９ｐを有している。本実施の形態の当接部２９ｐは、コネクタ２９の外面に形成された隆起部である。当接部２９ｐの外径は、移動体５０の膨出部５２の内径よりも大きく形成されている。このため、チャックユニット２８の移動体５０に対する前方への相対移動は、当接部２９ｐが膨出部５２に後方から当接することによって規制されることになる。本実施の形態では、芯繰出ユニット２０が筆記状態にあるとき、膨出部５２と当接部２９ｐとが離間し、芯繰出ユニット２０が非筆記状態にあるとき、前記膨出部と前記当接部とが当接するようになっている。そして、チャックユニット２８は、非筆記状態において、重量体９０の慣性力によりチャック支持ユニット２７に対し軸線方向ｄａに相対移動することが規制されるようになっている。その詳細については後述する。
【００２９】
図１及び図２に示すように、シャープペンシル１００は、芯繰出ユニット２０の前方に支持された口金３０を更に有している。口金３０は、芯繰出ユニット２０に保持された筆記芯２１が通過可能な開口部３０ａを有している。芯繰出ユニット２０と口金３０との間には、弾性体としての口金用スプリング３３が圧縮状態で配置されている。口金３０は、筆記芯２１を案内するガイドパイプ３１と、このガイドパイプ３１よりも大径のスリーブ部３２と、を有している。スリーブ部３２は、前方の小径部３２ｃと後方の拡径部３２ｄとを有している。口金３０をチャック支持ユニット２７に抜け止め状態で保持するため、芯繰出ユニット２０は、筒状の保持部材２２を、更に有している。
【００３０】
保持部材２２は、口金３０の外周を取り囲んだ状態でチャック支持ユニット２７に固定されている。保持部材２２の前端は、内径が縮小された絞り部２２ｆを有している。絞り部２２ｆの外面には、前方に向かって先細りとなるテーパ部２２ｔが形成されている。絞り部２２ｆの前端の内径は、口金３０の小径部３２ｃの外径よりも大きいが拡径部３２ｄの外径よりも小さい。これにより、保持部材２２内に後方から挿入された口金３０の拡径部３２ｄが保持部材２２に対し絞り部２２ｆを超えて前方に相対移動することが禁止されている。
【００３１】
チャック支持ユニット２７は、前述した口金用スプリング３３の付勢力を受ける第２受け部２７ａを有している。この第２受け部２７ａは、口金３０の小径部３２ｃと拡径部３２ｄとの接続部分より後方に位置し、当該接続部分との間に口金用スプリング３３が伸縮可能に圧縮状態で配置されている。したがって、口金３０は、拡径部３２ｄが保持部材２２の絞り部２２ｆを押圧した状態でチャック支持ユニット２７の前方に配置されることになる。本実施の形態では、口金用スプリング３３の初動荷重は、付勢手段６０の初動荷重よりも小さく設定されている。この口金用スプリング３３の作用により、芯繰出ユニット２０が筆記状態にあるとき、口金３０は、軸筒１０を後方から押圧するようになっている。
【００３２】
また、チャック支持ユニット２７は、外筒２７ｐと、外筒２７ｐに支持され、チャックユニット２８に設けられたチャック２４を締める締めリング２５と、チャックユニット２８を外筒２７ｐに対し後方に付勢するリターンスプリング２６と、を有している。外筒２７ｐは、前方の内周面に縮径部２７ｓを有している。チャック２４は、この縮径部２７ｓにより画定された開口を軸線方向ｄａに貫通して配置され、外筒２７ｐに対して軸線方向ｄａに相対移動可能となっている。また、リターンスプリング２６は、外筒２７ｐの縮径部２７ｓとコネクタ２９との間に圧縮状態で配置されている。このような構成により、リターンスプリング２６は、外筒２７ｐに対してチャックユニット２８を後方に付勢している。チャックユニット２８がチャック支持ユニット２７に対し前方に相対移動させられていないときには、チャック２４は、前端領域が締めリング２５によって締められて、筆記芯２１を後退しないように挟持する。
【００３３】
軸筒１０（前筒１１）は、内周面に、保持部材２２のテーパ部２２ｔが後方から当接す押圧部１５と、口金３０の小径部３２ｃが後方から当接する軸筒側縮径部１６と、を有している。図１及び図２に示すように、本実施の形態の押圧部１５及び軸筒側縮径部１６は、いずれも軸筒１０の内面に形成された凸部である。また、軸筒１０は、保持部材２２に対応する領域の内径が、当該保持部材２２の外径よりも大きくなっており、軸筒１０に対する口金３０の径方向の相対移動が許容されている。
【００３４】
更に、芯繰出ユニット２０は、操作体４０の操作レバー４１に保持され芯パイプ２３をチャック支持ユニット２７に対し前方に押圧操作するための押圧操作部１８を、更に有している。この押圧操作部１８を前方に押圧操作（ノック操作）することによって、チャックユニット２８から筆記芯２１が繰り出される。具体的な筆記芯２１の繰り出しの態様については、後述される。更に、押圧操作部１８は、後方が消しゴム８０を取外可能に保持するホルダ部１８ｈを有している。このホルダ部１８ｈには、消しゴム８０の後方を覆うドーム状のノブ８１が取り付けられている。
【００３５】
次に、シャープペンシル１００の作用について説明する。なお、以下の説明において、口金３０が軸筒１０内に没入している図２の状態を初期状態とする。
【００３６】
紙面に対して筆記を行うに先立ち、必要に応じて、ノブ８１及び消しゴム８０が押圧操作部１８から取り外され、筆記芯２１が芯パイプ２３内に投入される。その後、ノブ８１及び消しゴム８０が押圧操作部１８に再び取り付けられる。そして、軸筒１０に対し操作レバー４１を前方に押し込むことにより、次のようにして口金３０が軸筒１０の前端から繰り出される。すなわち、操作レバー４１に連結されたスライドカム４２及び移動体５０が、コイルバネ６１を圧縮させつつ軸筒１０に対し前方に相対移動する。この相対移動の際、スライドカム４２は、隆起部４２ｕが軸筒１０の内側リブ１２ｒ間の間隙１２ｇによってガイドされるため、軸筒１０に対し、軸線Ｌ周りに相対回転することなく前方に相対移動する。更に、カムフォロア７０の外側リブ７２も、間隙１２ｇによってガイドされるため、軸筒１０に対し、軸線Ｌ周りに相対回転することなく前方に相対移動する。
【００３７】
移動体５０が軸筒１０に対し前方に相対移動されると、付勢手段６０と共に、芯繰出ユニット２０及び口金３０が軸筒１０に対し前方に相対移動する。そして、この相対移動の過程で、まず口金３０の小径部５２ｄが軸筒側縮径部１６に当接し、口金３０の軸筒１０に対する前方への更なる相対移動が規制される。この状態から移動体５０が軸筒１０に対し更に前方に相対移動されると、口金用スプリング３３が圧縮されて保持部材２２の前端から前方に突出している小径部５２ｄの長さが減少する。その後、保持部材２２のテーパ部２２ｔが軸筒１０の押圧部１５に後方から当接し、軸筒１０に対するチャック支持ユニット２７の前方への更なる相対移動と、保持部材２２に対する口金３０の後方への更なる相対移動と、の双方が規制される。そして、操作レバー４１によって移動体５０が軸筒１０に対し更に前方に相対移動されると、付勢手段６０を圧縮させつつ、移動体５０が軸筒１０及び芯繰出ユニット２０に対し前方に相対移動する。この相対移動により、移動体５０の膨出部５２とチャックユニット２８の当接部２９ｐとが離反する。
【００３８】
そして、軸筒１０に対し操作レバー４１が更に前方に押し込まれると、カムフォロア７０の外側リブ７２が内側リブ１２ｒ間の間隙１２ｇから前方に外れる。このことにより、カムフォロア７０は、軸筒１０に対しその軸線Ｌ周りに相対回転することが許容される。この結果、スライドカム４２の押圧部４２ｐが外側リブ７２の被押圧部７２ｐを押圧している力により、カムフォロア７０が軸筒１０に対し軸線Ｌ周りに相対回転する。この相対回転は、カムフォロア７０の外側リブ７２がスライドカム４２の谷部４２ｍに位置付けられて停止する。これにより、カムフォロア７０の軸線Ｌ周りの位相と、後筒１２の被当接部１２ａの位相とが一致する。
【００３９】
そして、操作レバー４１に加えられている押圧力が弱められ、移動体５０、カムフォロア７０及び操作体４０が、付勢手段６０及びコイルバネ６１の付勢力により軸筒１０に対する後方への相対移動を開始する。ところが、前述したように、カムフォロア７０の軸線Ｌ周りの位相と、被当接部１２ａ間の間隙１２ｇの位相とが一致しているため、カムフォロア７０は、軸筒１０に対し僅かに後退した後で、外側リブ７２が被当接部１２ａに当接する。すると、被当接部１２ａの傾斜により、外側リブ７２は、カムフォロア規制部１２ｂに前方から当接するまでガイドされる。すなわち、移動体５０及びカムフォロア７０は、軸筒１０に対する更なる後方への相対移動が規制される。これにより、芯繰出ユニット２０が筆記状態にされ、軸筒１０の前端からの口金３０を突出させる操作が完了する（図１参照）。
【００４０】
また、以上の説明から理解されるように、芯繰出ユニット２０が筆記状態にあるとき、付勢手段６０の付勢力により、保持部材２２のテーパ部２２ｔが軸筒１０の押圧部１５を後方から押圧する。更に、口金用スプリング３３の付勢力により、口金３０の小径部３２ｃが軸筒１０の軸筒側縮径部１６を後方から押圧する。
【００４１】
その後、軸筒１０の前端が押圧操作部１８より下方に位置する姿勢で当該押圧操作部１８（ノブ８１）が軸筒１０に対して前方に押し込まれる（ノックされる）。これにより、チャックユニット２８がリターンスプリング２６の付勢力に逆らってチャック支持ユニット２７に対し前進させられる。この前進の過程で、締めリング２５がチャック２４から外れ、当該チャック２４が開放される。この結果、チャック２４から筆記芯２１が所定の長さだけ前方に繰り出される。
【００４２】
そして、使用者によって軸筒１０が把持され、紙面に対して筆記芯２１を当接させつつ軸筒１０を所望に移動させることによって、筆記が行われる。筆記芯２１が摩耗した際には、押圧操作部１８を前方に押圧操作することによって、あるいは軸筒１０を前後に振って重量体９０に与えられた慣性力をコネクタ２９に作用させること（振り出し操作）によって、筆記芯２１を繰り出せばよい。
【００４３】
次に、シャープペンシル１００の筆記時の作用について説明する。図６Ａは、筆記芯２１に強い筆圧が加えられていないときの図１のシャープペンシル１００の前方部分を示す概略縦断面図であり、図６Ｂは、筆記芯２１に強い筆圧が加えられているときの図１のシャープペンシル１００の前方部分を示す概略縦断面図である。図６Ａに示すように、筆記の際、軸筒１０は、軸線方向ｄａが紙面Ｐに対して鋭角をなすように把持されることが一般的である。このため、筆記時に、筆記芯２１には、軸筒１０の軸線方向ｄａに垂直な成分（軸筒１０の径方向の成分）と当該軸線方向ｄａの成分とを含む力が作用する。本実施の形態のシャープペンシル１００は、筆記時に筆記芯２１に強い筆圧が加えられた際に、次のようにして筆圧の軸線方向ｄａに垂直な成分と軸線方向ｄａの成分とをそれぞれ吸収し、口金３０から突出した筆記芯２１の折損を低減させる。
【００４４】
すなわち、筆記芯２１に強い筆圧が作用すると、筆圧の軸線方向ｄａに垂直な成分によって、筆記芯２１及び口金３０を介して保持部材２２のテーパ部２２ｔと軸筒１０の押圧部１５との間に強い押圧力が作用する。すると、保持部材２２のテーパ部２２ｔが前方に向かって先細りとなっていることにより、図６Ｂに示すように、芯繰出ユニット２０は、その前方が軸線Ｌに対し傾動しながら、付勢手段６０を圧縮しつつ軸筒１０に対し後方に相対移動する。
【００４５】
ところで、口金３０は、口金用スプリング３３によって芯繰出ユニット２０に対し前方に付勢されている。この付勢力により、口金３０は、芯繰出ユニット２０の軸筒１０に対する後方への相対移動量に応じて、当該芯繰出ユニット２０に対し前方に相対移動する。すなわち、芯繰出ユニット２０が軸筒１０に対し後方に相対移動しても、口金３０は、軸筒１０に対し軸線方向ｄａには相対移動しない。この結果、口金３０の前端から突出する筆記芯２１の長さが減少する。
【００４６】
これと同時に、筆圧の軸線方向ｄａの成分によって、筆記芯２１が後方に押圧される。この筆圧の軸線方向ｄａの成分が付勢手段６０の付勢力を超えている場合、芯繰出ユニット２０は、付勢手段６０を更に圧縮させながら軸筒１０に対し後方に相対移動する。すなわち、口金３０の前端から突出する筆記芯２１の長さが一層減少され、筆記芯２１の折損がより効果的に回避される。
【００４７】
そして、筆記芯２１に加えられている筆圧が弱められ、付勢手段６０の付勢力によって、芯繰出ユニット２０が軸筒１０に対して前方に押し戻される。これにより、図６Ａに示す状態が復元される。
【００４８】
筆記が終了すると、次のようにして芯繰出ユニット２０が非筆記状態にされ、口金３０が軸筒１０内に没入される。すなわち、軸筒１０に対し操作レバー４１が前方に押し込まれる。これにより、操作レバー４１に連結されたスライドカム４２及び移動体５０が、コイルバネ６１を圧縮させつつ軸筒１０に対し前方に相対移動する。この相対移動により、カムフォロア７０の外側リブ７２が内側リブ１２ｒ間の間隙１２ｇから前方に外れる。このことにより、カムフォロア７０は、軸筒１０に対しその軸線Ｌ周りに相対回転することが再び許容される。外側リブ７２が内側リブ１２ｒ間の間隙１２ｇから前方に外れる際、スライドカム４２の押圧部４２ｐによってカムフォロア７０が軸筒１０の軸線Ｌ周りに相対回転され、軸線Ｌに関し、当該カムフォロア７０の外側リブ７２の位相と内側リブ１２ｒ間の間隙１２ｇの位相とが、一致する。
【００４９】
そして、操作レバー４１に加えられている押圧力が弱められ、移動体５０、カムフォロア７０及び操作体４０は、付勢手段６０及びコイルバネ６１の付勢力により、軸筒１０に対する後方への相対移動を開始する。このとき、カムフォロア７０の外側リブ７２が内側リブ１２ｒ間の間隙１２ｇ内に進入することができるため、芯繰出ユニット２０が非筆記状態になるまで、カムフォロア７０及び移動体５０が軸筒１０に対し後方に相対移動することが許容される。これにより、芯繰出ユニット２０を筆記状態にする際の動作が逆順で行われて、口金３０が軸筒１０内に没入した初期状態（図２参照）が復元される。
【００５０】
口金３０が軸筒１０内に没入される際、口金用スプリング３３は、次第に伸長し、チャックユニット２８に対し口金３０を前方に相対移動させる。このため、筆記が終了した際に口金３０の前端から筆記芯２１がある程度突出していたとしても、この相対移動により、筆記芯２１の当該突出している部分の少なくとも一部が口金３０内に没入される。このことにより、芯繰出ユニット２０が非筆記状態にあるとき、筆記芯２１が確実に保護される。そして、口金３０が再び軸筒１０の前端から露出される際には、前述したようにチャックユニット２８に対し口金３０が後方に相対移動されるため、筆記芯２１の前端が再び突出し、押圧操作部１８の押圧操作や重量体９０による振り出し操作なしで、筆記が再開され得る。
【００５１】
本実施の形態によるシャープペンシル１００は、口金３０が軸筒１０内に没入している際に、筆記芯２１の繰り出しが規制される。すなわち、前述したように、シャープペンシル１００は、芯繰出ユニット２０が非筆記状態にあるとき、移動体５０の膨出部５２にチャックユニット２８の当接部２９ｐが後方から当接している。このため、押圧操作部１８を軸筒１０に対し前方に相対移動させると、あるいは重量体９０の慣性力をコネクタ２９に作用させると、チャックユニット２８と共に移動体５０が軸筒１０に対し前方に相対移動する。この際、移動体５０に伴って付勢手段６０及びチャック支持ユニット２７も軸筒１０に対し前方に相対移動される。すなわち、チャックユニット２８とチャック支持ユニット２７とが同時に軸筒１０に対し前方に相対移動する。結局、芯繰出ユニット２０が非筆記状態にあるとき、チャックユニット２８のチャック支持ユニット２７に対する前方への相対移動が規制されるため、押圧操作部１８の押圧操作や重量体９０の慣性力による振り出し操作が行われても、筆記芯２１は繰り出されない。
【００５２】
以上のような本実施の形態によれば、芯繰出ユニット２０は、筆記状態にあるときに軸筒１０の押圧部１５を後方から押圧するため、筆圧による芯繰出ユニット２０の軸筒１０に対するぐらつきを防止することができる。更に、芯繰出ユニット２０が非筆記状態にあるとき、重量体９０の慣性力による筆記芯２１の繰り出しが制限される。すなわち、本実施の形態によれば、良好な筆記感と利便性とを両立させた出没式のシャープペンシル１００を提供することができる。
【００５３】
具体的には、シャープペンシル１００は、軸筒１０の内部に配置され、操作体４０の軸筒１０に対する前方への相対移動により当該軸筒１０に対し前方に相対移動する移動体５０と、移動体５０に対し芯繰出ユニット２０を前方に付勢する付勢手段６０と、を備えている。そして、芯繰出ユニット２０は、筆記状態にあるとき、付勢手段６０の付勢力によって軸筒１０を後方から押圧するようになっている。このため、芯繰出ユニット２０が筆記状態にあるときに軸筒１０の押圧部１５を前方に確実に押圧することができる。
【００５４】
更に、シャープペンシル１００の芯繰出ユニット２０は、非筆記状態にあるとき、チャックユニット２８が重量体９０の慣性力によりチャック支持ユニット２７に対し軸線方向ｄａに相対移動することが規制されている。このことは、芯繰出ユニット２０が非筆記状態にあるとき、移動体５０の膨出部５２とチャックユニット２８の当接部２９ｐとが当接することにより、実現される。すなわち、本実施の形態によれば、口金３０が軸筒１０内に没入していれば、例えば持ち運びの際に、重量体９０の慣性力がチャックユニット２８に作用しても筆記芯２１が繰り出されることが無い。これにより、利便性の高いシャープペンシル１００を提供することができる。
【００５５】
以上のシャープペンシル１００は、芯繰出ユニット２０と口金３０との間に圧縮状態で配置された弾性体である口金用スプリング３３を有し、芯繰出ユニット２０が筆記状態にあるとき、口金３０が軸筒１０の軸筒側縮径部１６を後方から押圧する。このため、筆圧によって、筆記芯２１を含む芯繰出ユニット２０が軸筒１０に対し後方に相対移動されても、口金３０が軸筒１０に対し軸線方向ｄａに相対移動することが無い。これにより、筆記芯２１に強い筆圧が作用した際に、口金３０の前端から突出する筆記芯２１の長さが減少され、筆記芯２１の折損が効果的に低減され得る。
【００５６】
また、シャープペンシル１００は、筆圧の軸筒１０の径方向成分によって、軸筒１０が芯繰出ユニット２０を当該軸筒１０に対し後方に相対移動させる。このため、本実施の形態によれば、筆圧の軸筒１０の径方向成分によっても口金３０の前端から突出する筆記芯２１の長さが減少され、筆記芯２１の折損がより効果的に低減され得る。
【００５７】
なお、以上の説明においては、チャックユニット２８を押圧操作するための押圧操作部１８が操作体４０に設けられているが、このような形態には限定されない。例えば、押圧操作部１８は、芯パイプ２３に直接取り付けられていても良い。
【符号の説明】
【００５８】
１０  軸筒
１１  前筒
１２  後筒
１２ａ  被当接部
１２ｂ  カムフォロア規制部
１２ｃ  操作体規制部
１２ｇ  間隙
１２ｒ  内側リブ
１３  第１受け部
１５  押圧部
１６  軸筒側縮径部
１８  押圧操作部
１８ｈ  ホルダ部
２０  芯繰出ユニット
２１  筆記芯
２２  保持部材
２２ｆ  絞り部
２２ｔ  テーパ部
２３  芯パイプ
２４  チャック
２５  締めリング
２６  リターンスプリング
２７  チャック支持ユニット
２７ａ  第２受け部
２７ｐ  外筒
２７ｓ  縮径部
２８  チャックユニット
２９  コネクタ
２９ｐ  当接部
３０  口金
３０ａ  開口部
３１  ガイドパイプ
３２  スリーブ部
３２ｃ  小径部
３２ｄ  拡径部
３３  口金用スプリング
４０  操作体
４１  操作レバー
４１ｃ  クリップ部
４１ｅ  係合孔
４１ｍ  操作レバー本体
４２  スライドカム
４２ｅ  突起
４２ｍ  谷部
４２ｐ  押圧部
４２ｕ  隆起部
５０  移動体
５１  フランジ部
５２  膨出部
５２ｄ  小径部
６０  付勢手段
６１  コイルバネ
７０  カムフォロア
７１  カムフォロア本体
７２  外側リブ
７２ｐ  被押圧部
８０  ゴム
８１  ノブ
９０  重量体
１００  シャープペンシル
【図１】
2019119111.tif 000003
【図２】
2019119111.tif 000004
【図３】
2019119111.tif 000005
【図４】
2019119111.tif 000006
【図５】
2019119111.tif 000007
【図６Ａ】
2019119111.tif 000008
【図６Ｂ】
2019119111.tif 000009